(57)【要約】【課題】  信号伝送装置を構成する親機と増設器とにおける交流電源の位相の違いに起因したリーク電流によるノイズの影響を低減させる。【解決手段】  親機１１は、交流電源に接続される一対の電源端子Ｔ１、Ｔ１を有し、直流電源を供給する電源部１１ａと、伝送線２に接続される一対の伝送端子Ｔ２、Ｔ２を有し、直流電源で動作する平衡型送受信制御部１１ｂと、直流電源から発生させた直流電圧を一対の伝送端子Ｔ２、Ｔ２に供給する伝送線電源部４とを備え、増設器１２は、交流電源に接続される一対の電源端子Ｔ１、Ｔ１を有し、直流電源を供給する電源部１２ａと、伝送線２に接続される一対の伝送端子Ｔ２、Ｔ２を有し、直流電源で動作する平衡型送受信制御部１２ｂと、一対の伝送端子Ｔ２、Ｔ２から直流電流を取出す、ローパスフィルタ特性を有した整流部５と、整流部５で取出した直流電流を通じさせる負荷部６とを備える。【選択図】図１
2006325157.tif 000002
【特許請求の範囲】
【請求項１】
親機と、この親機に伝送線で接続される１以上の増設器とを含み、
上記親機は、交流電源に接続される一対の電源端子を有し、直流電源を供給する電源部と、上記伝送線に接続される一対の伝送端子を有し、上記直流電源で動作する平衡型送受信制御部と、上記直流電源から発生させた直流電圧を上記一対の伝送端子に供給する伝送線電源部とを備え、
上記増設器は、交流電源に接続される一対の電源端子を有し、直流電源を供給する電源部と、上記伝送線に接続される一対の伝送端子を有し、上記直流電源で動作する平衡型送受信制御部と、上記一対の伝送端子から直流電流を取出す、ローパスフィルタ特性を有した整流部と、この整流部から取出した直流電流を通じさせる負荷部とを備える信号伝送装置。
【請求項２】
請求項１において、
上記平衡型送受信制御部は、伝送用トランスで構成されることを特徴とする信号伝送装置。
【請求項３】
請求項１において、
上記平衡型送受信制御部は、伝送用平衡型アンプで構成されることを特徴とする信号伝送装置。
【請求項４】
請求項１〜３のいずれかにおいて、
上記増設器は、上記一対の伝送端子のそれぞれに、サージ保護部を接続付加していることを特徴とする信号伝送装置。
【発明の詳細な説明】
【技術分野】
【０００１】
本発明は、外部交流電源で動作する信号伝送装置において発生するリーク電流によるノイズの問題、また信号伝送装置の誘導サージパルスからの保護に関するものである。
【背景技術】
【０００２】
以下、上記信号伝送装置の従来の構成と問題点とを、図に従って説明する。ここでは、ドアホン子器、親機、増設器等からなる一般家庭用のインターホン装置を想定し、簡略化して説明する。
【０００３】
図７は、そのような信号伝送装置の第１の従来例である通話装置Ｍ１００の内部構成を説明する概略ブロック図である。通話装置Ｍ１００は、親機１０１と、この親機１０１に伝送線２でそれぞれ接続される増設器１０２と、親機駆動増設器１０３とで構成され、親機１０１、増設器１０２、親機駆動増設器１０３間での相互通話機能を有している。
【０００４】
親機１０１は、単相３線電力線３のうち、中性線（Ｎ）を含んだ２線からなる交流電源に接続される一対の電源端子Ｔ１、Ｔ１を有し、直流電源Ｖ１を親機１０１の各部に供給する電源部１１ａと、伝送線２に接続される一対の伝送端子Ｔ２、Ｔ２を有し、直流電源Ｖ１で動作して、伝送信号を送受信する送受信制御部１０１ｂと、直流電源Ｖ１から発生させた直流電圧Ｖｏを伝送端子Ｔ２、Ｔ２に供給する伝送線電源部４とを備える。なお、容量Ｃ３は、直流遮断用である。
【０００５】
増設器１０２は、単相３線電力線３のうち、中性線（Ｎ）を含んだ２線からなる交流電源に接続される一対の電源端子Ｔ１、Ｔ１を有し、直流電源Ｖ２を増設器１０２の各部に供給する電源部１２ａと、伝送線２に接続される一対の伝送端子Ｔ２、Ｔ２を有し、直流電源Ｖ２で動作して、伝送信号を送受信する送受信制御部１０２ｂと、伝送端子Ｔ２、Ｔ２から直流電流を取出す整流部１０５と、整流部１０５で取出した直流電流を通じさせる負荷部６とを備える。なお、容量Ｃ４は、直流遮断用である。
【０００６】
親機駆動増設器１０３は、伝送線に接続される一対の伝送端子Ｔ２、Ｔ２を有し、そこから受電して整流した直流電源Ｖ３を供給する受電部１０７と、この受電部１０７が備えるダイオードブリッジ１０７ａの出力端子から伝送信号を送受信する送受信制御部１０３ｂとを備える。なお、容量Ｃ６、Ｃ８は、それぞれ直流遮断用、平滑化用である。
【０００７】
図８は、第２の従来例である通話装置Ｍ１００Ａの内部構成を説明する概略ブロック図である。通話装置装置Ｍ１００Ａは、親機１０１と、この親機１０１に伝送線２でそれぞれ接続される増設器１０２Ａと、親機駆動増設器１０３とで構成され、親機１０１、増設器１０２Ａ、親機駆動増設器１０３間での相互通話機能を有している。
【０００８】
親機１０１、親機駆動増設器１０３の構成は、従来例１の通話装置Ｍ１００のものと共通なので、同一の参照符号を付け、説明を割愛する。
【０００９】
増設器１０２Ａは、単相３線電力線３のうち、中性線（Ｎ）を含んだ２線からなる交流電源に接続される一対の電源端子Ｔ１、Ｔ１を有し、直流電源Ｖ２を増設器１０２Ａの各部に供給する電源部１２ａと、伝送線２に接続される一対の伝送端子Ｔ２、Ｔ２を有し、直流電源Ｖ２で動作して、伝送信号を送受信する絶縁型の送受信制御部１０２ｂとを備える。なお、容量Ｃ４、Ｃ５は、直流遮断用である。
【００１０】
なお、次の特許文献には、カメラユニットと住戸モニタ間の配線の省線化したテレビドアホン装置が開示されており、映像制御器で、ドアホンカメラからの変調された映像信号を取り込み、住戸モニタに電力供給するための供給電流を映像信号に重畳して出力し、住戸モニタでは、供給電流を重畳された映像信号を取り込み、供給電流を分離し供給電力として用いるとともに映像信号を復調して映し出すことが記載されている。
【特許文献１】特開平０７−０１５７２４号公報
【発明の開示】
【発明が解決しようとする課題】
【００１１】
ところで、一般家庭などでは、単相３線電力線３の中性線（Ｎ）と、２本の電力線（＋）、（−）の一方とを組み合わせて１００Ｖのコンセントとしており、電力線（＋）と電力線（−）とは、電圧位相が１８０度ずれた逆位相の関係にある。そのため、１００Ｖのコンセントには、中性線（Ｎ）−電力線（＋）の組合せで配電されたものと、中性線（Ｎ）−電力線（−）の組合せで配電されたものとが混在することになる（図７、８参照）。
【００１２】
図７に示した第１の従来例では、親機１０１と増設器１０２とにおける交流電源の位相の違いから伝送線２に現れるリーク電流は、交流電源の周波数を有するノイズを発生させ、親機１０１と増設器１０２とで相互通話している間、可聴域のハム音（商用電源の周波数成分（５０〜６０Ｈｚ）に同調したノイズ）となって音質を低下させてしまうという問題があった。
【００１３】
また、図８に示した第２の従来例は、そのようなリーク電流を低減するために、増設器１０２Ａにおいて、送受信制御部１０２ｂを絶縁型にしている。しかしながら、この構成では、増設器１０２Ａと伝送線２とが絶縁されているために、親機１０１の交流電源と増設器１０２Ａの交流電源との双方の位相が互いに異なる場合には、増設器１０２Ａの伝送端子Ｔ２、Ｔ２と、増設器１０２Ａのグランド間の電位差が大きくなる場合（１００Ｖ程度以上）がある。そのため増設器１０２Ａには、伝送線２の誘導サージパルスから保護するための保護部品を付加できないという問題があった。
【００１４】
本発明は、そのような課題を解決するために、親機と増設器とにおける交流電源の位相の違いに起因したリーク電流によるノイズの影響を低減させることを主な目的とし、更に、増設器を伝送線２の誘導サージパルスから保護することも目的としている。
【課題を解決するための手段】
【００１５】
上記目的のため、請求項１に記載の信号伝送装置は、親機と、この親機に伝送線で接続される１以上の増設器とを含み、上記親機は、交流電源に接続される一対の電源端子を有し、直流電源を供給する電源部と、上記伝送線に接続される一対の伝送端子を有し、上記直流電源で動作する平衡型送受信制御部と、上記直流電源から発生させた直流電圧を上記一対の伝送端子に供給する伝送線電源部とを備え、上記増設器は、交流電源に接続される一対の電源端子を有し、直流電源を供給する電源部と、上記伝送線に接続される一対の伝送端子を有し、上記直流電源で動作する平衡型送受信制御部と、上記一対の伝送端子から直流電流を取出す、ローパスフィルタ特性を有した整流部と、この整流部で取出した直流電流を通じさせる負荷部とを備える。
【００１６】
ここで云うローパスフィルタ特性とは、少なくとも交流電源の基本周波数を含む周波数帯域では、低インピーダンスを有し、それより高い周波数帯域では、高いインピーダンスを有するインダクタ的な特性（疑似インダクタ特性）を意味している。
【００１７】
また、上記信号伝送装置を、ドアホン子器を有したインターホン装置として実現する場合には、本発明の親機と、増設器は、それぞれ、ドアホン子器を接続する親機と、その親機に接続される副親機として構成される。また、そのインターホン装置は、親機と接続され、親機から電源供給を受けて動作する親機駆動増設器を、別の副親機として更に含むようにしてもよい。このとき、親機駆動増設器は、伝送線に接続される一対の伝送端子を有し、平衡型の伝送信号を送受信する平衡型送受信制御部と、この一対の伝送端子から受電して整流した直流電源を供給する、ローパスフィルタ特性を有した受電部とを備えた構成とすればよい。
【００１８】
請求項２に記載の信号伝送装置では、上記平衡型送受信制御部が、伝送用トランスで構成される。
【００１９】
請求項３に記載の信号伝送装置では、上記平衡型送受信制御部が、伝送用平衡型アンプで構成される。
【００２０】
請求項１〜３のいずれかに記載の信号伝送装置では、伝送線が増設器における整流部、負荷部を介して、増設器のグランドと直流的に結合されており、増設器の一対の伝送端子と、グランド間の電位差が所定の範囲に規制される。これを前提として、請求項４では、上記増設器は、上記一対の伝送端子のそれぞれに、サージ保護部を接続付加している。
【発明の効果】
【００２１】
請求項１〜４では、交流電源の位相差に起因したノイズは、親機と増設器とを伝送線で接続することにより発生するコモンモードノイズであるため、平衡型送受信制御部を備えることで、該ノイズを減衰させることができる。
【００２２】
特に請求項３では、平衡型送受信制御部に伝送用平衡型アンプを用いているが、そのようなオペアンプは小型で低コストなので、装置の小型化や低コスト化に効果がある。
【００２３】
特に、請求項４では、増設器の伝送端子にサージ保護部を設けることにより、伝送線に生じた誘導サージパルス等から増設器を効果的に保護することができる。
【発明を実施するための最良の形態】
【００２４】
本発明は、伝送線で信号伝送する信号伝送装置として、例えばインターホン装置などに好適に適用できるが、インターホン装置以外にも、伝送線で相互に信号伝送する複数の機器で構成される信号伝送装置であれば、本発明を適用することができる。なお、親機は、この親機と信号伝送する子器を備えた構成としてもよい。
【００２５】
例えば、本発明を複数の機器で構成される信号伝送装置に適用する場合、子器を備えた親機として本発明の親機を構成し、その機器と伝送線により相互に信号伝送する副親機の１つとして本発明の増設器を構成することができる。また、その信号伝送装置には、伝送線でこれらの機器と信号伝送する別の副親機として親機から受電して動作する親機駆動増設器を更に含ませても構わない。
【００２６】
以下では、本発明の簡単な実施例として、伝送線で相互に通話する親機と増設器とを含む通話装置の例を図に従って説明する。
【実施例１】
【００２７】
図１は、実施例となる通話装置Ｍを、発明に関連する構成要素について説明する概略ブロック図である。
【００２８】
通話装置Ｍは、親機１１と、この親機１１に伝送線２でそれぞれ接続される増設器１２と、親機駆動増設器１３とで構成され、親機１１、増設器１２、親機駆動増設器１３間での相互通話機能を有している。なお、図では、増設器１２、親機駆動増設器１３は、それぞれ１台ずつ記載しているが、それぞれ複数台であっても構わない。
【００２９】
親機１１は、単相３線電力線３のうち、中性線（Ｎ）を含んだ２線からなる交流電源に接続される一対の電源端子Ｔ１、Ｔ１を有し、直流電源Ｖ１を親機１１の各部に供給する電源部１１ａと、伝送線２に接続される一対の伝送端子Ｔ２、Ｔ２を有し、直流電源Ｖ１で動作して、平衡型の伝送信号を送受信する平衡型送受信制御部１１ｂと、直流電源Ｖ１から発生させた直流電圧Ｖｏを伝送端子Ｔ２、Ｔ２の片側に供給する伝送線電源部４とを備える。なお、容量Ｃ３は、直流遮断用である。また、Ｘ、Ｙは、平衡型送受信制御部１１ｂの入出力端子を意味している。
【００３０】
増設器１２は、単相３線電力線３のうち、中性線（Ｎ）を含んだ２線からなる交流電源に接続される一対の電源端子Ｔ１、Ｔ１を有し、直流電源Ｖ２を増設器１２の各部に供給する電源部１２ａと、伝送線２に接続される一対の伝送端子Ｔ２、Ｔ２を有し、直流電源Ｖ２で動作して、平衡型の伝送信号を送受信する平衡型送受信制御部１２ｂと、伝送端子Ｔ２、Ｔ２から整流した電流を取り出す、ローパスフィルタ特性を有した整流部５と、整流部５で整流した電流を通じさせる負荷部６とを備える。なお、容量Ｃ４、Ｃ５は、直流遮断用である。また、Ｘ、Ｙは、平衡型送受信制御部１２ｂの入出力端子を意味している。
【００３１】
親機駆動増設器１３は、伝送線に接続される一対の伝送端子Ｔ２、Ｔ２を有し、平衡型の伝送信号を送受信する平衡型送受信制御部１３ｂと、この一対の伝送端子Ｔ２、Ｔ２から受電して整流した直流電源Ｖ３を供給する、ローパスフィルタ特性を有した受電部７とを備える。なお、容量Ｃ６、Ｃ７は、直流遮断用、容量Ｃ８は、平滑化用である。また、Ｘ、Ｙは、平衡型送受信制御部１３ｂの入出力端子を意味している。なお、他の構成として、従来例のように、伝送線に接続される一対の伝送端子Ｔ２、Ｔ２を有し、そこから受電して整流した直流電源Ｖ３を供給するローパスフィルタ特性を有した受電部７と、この受電部１０７を構成するダイオードブリッジ７ａの出力端子から伝送信号を送受信する送受信制御部とを備えても構わない。
【００３２】
電源部１１ａ、１２ａは同様の構成であり、電源端子Ｔ１、Ｔ１には、コモンモードチョークコイルＬ１を介して、公知構成のスイッチング電源回路ＳＰが接続され、このスイッチング電源ＳＰからは、直流電源Ｖ１（Ｖ２）と、グランドとが導出されている。また、電源端子Ｔ１、Ｔ１は、それぞれコンデンサＣ１、Ｃ２を介してグランドに接続されている。ここに、コモンモードチョークコイルＬ１は、コモンモードノイズ電流がこの部品を通ると、フェライトコアに同じ向きの磁束が発生し、インダクタンス成分でそのノイズ電流を減衰させるものである。また、コンデンサＣ１、Ｃ２は、スイッチング電源回路ＳＰの高周波ノイズを吸収するものである。
【００３３】
平衡型送受信制御部１１ｂ、１２ｂ、１３ｂは、いずれも同様の構成で、基本的な構成要素として、いずれも図示しない制御用マイコン、マイク、スピーカ、表示操作部等を備え、オペレータの呼出操作を受け付けると、呼出先機を指定した呼出信号を送信し、その応答信号を受信する一方、呼出信号を受信すると、オペレータに呼出を通知して操作を受け付け、応答信号を呼出元機に返信する通話開始処理と、送話信号を呼出先機、あるいは呼出元機に送信する一方、受話信号を呼出先機、あるいは呼出元機から受信する通話処理と、通話終了処理とを実行制御する機能を少なくとも有している。
【００３４】
ここで、呼出信号、応答信号等の制御信号と、送話信号、受話信号などの音声信号は、周波数多重化など公知の方法で分離多重化され、伝送線２に対して平衡型の伝送信号として出入力される。なお、平衡型送受信制御部１１ｂ、１２ｂ、１３ｂの具体的な構成例については後述する。
【００３５】
整流部５は、伝送端子Ｔ２、Ｔ２が接続される公知構成のダイオードブリッジ５ａと、ローパスフィルタ特性を有した音声帯域遮断部５ｂとで構成されている。伝送線２から、整流部５を通じて取り出された電流は、更に、例えば抵抗等で構成される負荷部６を通じてグランドに導かれる。ここで云うローパスフィルタ特性とは、交流電源の基本周波数から、数次の高調波周波数程度までの低い周波数帯域では、低インピーダンスを有し、それより高い周波数帯域では、より高いインピーダンスを有するインダクタ的な特性（疑似インダクタ特性）を意味しており、そのような特性を有するコイルを用いて、音声帯域遮断部５ｂを構成してもよい。
【００３６】
受電部７は、伝送端子Ｔ２、Ｔ２が接続される公知構成のダイオードブリッジ７ａと、上記と同様のローパスフィルタ特性を有した音声帯域遮断部７ｂと、平滑化用の容量Ｃ７とで構成されている。この容量Ｃ７は、ダイオードブリッジ７ａから、音声帯域遮断部７ｂを通じて導出された直流電圧Ｖ３を平滑化するものである。
【００３７】
次いで、通話装置Ｍの基本動作を説明する。すなわち、基本動作では、親機１１、増設器１２、親機駆動増設器１３のいずれかで、呼出先機を指定した呼出操作を受け付けると、通話開始処理を開始して、その呼出先機を指定した呼出信号を平衡型の伝送信号として送信する。その呼出信号を受信した呼出先機は、通話開始処理を開始して、スピーカから呼出音を出力し、応答操作を受け付けると、応答信号を平衡型の伝送信号として返信する。そして、呼出元機がその応答信号を受信すると、呼出元機、呼出先機の双方で通話開始処理が完了し、両者は通話処理を開始する。
【００３８】
通話処理では、呼出元機と呼出先機との間で、音声信号を平衡型の伝送信号として互いに送受信することにより、両者の間での通話がなされる。その後、呼出元機、呼出先機のいずれかで、終了操作を受け付けると、その操作を受け付けた側は、通話終了処理を開始して、通話処理を終了させ、他方側に終了信号を平衡型の伝送信号として送信する。一方、他方側は、終了信号を受信すると、通話終了処理を開始して、通話処理を終了させる。
【００３９】
通話装置Ｍの基本動作は以上であるが、本発明は、上記において、交流電源で動作する親機１１と増設器１２とが相互に信号伝送する際の、交流電源の位相差に基づくリーク電流が発生させるノイズに注目したものである。ここで云う、交流電源の位相差とは、親機１１が受けている交流電源の電圧位相と、増設器１２が受けている交流電源の電圧位相との差を意味しており、図１の例では、親機１１は、単相３線電力線３のうち、中性線（Ｎ）−電力線（＋）の組合せによる交流電源を受けているのに対し、増設器１２は、中性線（Ｎ）−電力線（−）の組合せによる交流電源を受けていることが原因となっている。しかしながら、同様の位相差は、親機１１が、中性線（Ｎ）−電力線（−）の組合せによる交流電源を受ける一方、増設器１２が電力線（＋）−中性線（Ｎ）の組合せによる交流電源を受ける場合も発生する。
【００４０】
すなわち、親機１１は、中性線（Ｎ）、電力線（＋）と、電源部１１ａの容量Ｃ１、Ｃ２等で容量結合しているので、電力線（＋）の電位変化に連動して、親機１１のグランドが大地に対して電位変動しようとする。これに対して、増設器１２は、中性線（Ｎ）、電力線（−）と、電源部１２ａの容量Ｃ１、Ｃ２等で容量結合しているので、電力線（−）の電位変化に連動して、増設器１２のグランドが大地に対して電位変動しようとする。
【００４１】
しかしながら、親機１１と増設器１２とは、伝送線２によって、有限のインピーダンスで接続されているので、親機１１のグランドの大地に対する電位と、増設器１２のグランドの大地に対する電位との差により、伝送線２には、この電位差を解消する方向のリーク電流が発生する。
【００４２】
図２は、単相３線電力線３の各線の時刻に対する電位変化を示す波形図であって、図のように、電力線（＋）、電力線（−）は、中性線（Ｎ）に対して、互いに１８０度の位相差で、電位を変化させている。この波形図において、期間Ｔ１〜Ｔ２では、電力線（＋）の電位は上昇しており、電力線（−）の電位は下降しているので、親機１１、増設器１２間のインピーダンスにも因るが、概ね、親機１１から増設器１２に向かうリーク電流が発生する。次いで、期間Ｔ２〜Ｔ３では、電力線（＋）の電位は下降しており、電力線（−）の電位は上昇しているので、反対に、増設器１２から親機１１に向かうリーク電流が発生する。このように、リーク電流は、交流電源の周波数に応じて、半周期毎に向きを変えて、親機１１、増設器１２間を往復する。
【００４３】
図１における実線矢印は、親機１１から増設器１２に向かう方向のリーク電流の経路を示し、増設器１２から親機１１に向かう方向のリーク電流は、その矢印を逆向きに流れる。
【００４４】
このようなリーク電流は、従来、交流電源の周波数に応じたノイズを発生させ、通話中には、可聴域のハム音となって音質を低下させていた。しかし、本発明では、親機１１と、増設器１２とが平衡型の伝送信号による信号伝送を行うので、リーク電流によるコモンモードノイズは無効化される。この効果として、ハム音として聞き取れる背景ノイズが効果的に抑制され、通話の音質低下が効果的に抑制される。
【００４５】
図３、図４は、平衡型送受信制御部１１ｂ、１２ｂ、１３ｂの例を、本発明に関連する構成要素について具体的に説明する概略ブロック図である。なお、平衡型送受信制御部１１ｂ、１２ｂ、１３ｂは、いずれも共通の構成としてよい。
【００４６】
まず、図３に示した例を説明すると、この平衡型送受信制御部１１ｂ（１２ｂ、１３ｂ）は、平衡型の伝送信号の送受信を行う伝送用トランスＴと、マイクＭＩＣで集音した信号を増幅する第１の伝送用アンプＩＣ１と、受信した伝送信号を増幅し、スピーカＳＰを駆動する第２の伝送用アンプＩＣ２とを備える。なお、容量Ｃ９は、直流遮断用の容量である。また、平衡型送受信制御部１１ｂ（１２ｂ、１３ｂ）は、第１の伝送用アンプＩＣ１や第２の伝送用アンプＩＣ２などを制御するマイコンや、表示操作部等も備えるが、これらは、従来と同様であり、本発明と直接関連するものではないので、説明を割愛する。
【００４７】
次いで、図４に示した例を説明すると、この平衡型送受信制御部１１ｂ（１２ｂ、１３ｂ）は、マイクＭＩＣで集音した信号を増幅し、平衡型の伝送信号として出力する第１の伝送用平衡型アンプＩＣ３と、受信した平衡型の伝送信号を増幅し、スピーカＳＰを駆動する第２の伝送用平衡型アンプＩＣ４とを備える。また、第１の伝送用平衡型アンプＩＣ３や第２の伝送用平衡型アンプＩＣ４などを制御するマイコンや、表示操作部等も備えるが、これらは、従来と同様であり、本発明と直接関連するものではないので、説明を割愛する。
【００４８】
図５は、増設器１２の変形例である、サージ保護部１０、１０を備えた増設器１２Ａを、発明に関連する構成要素について説明する概略ブロック図である。
【００４９】
図に示すように、増設器１２Ａの伝送端子Ｔ２、Ｔ２には、それぞれ、サージ保護部１０、１０を接続付加している。他の構成要素は、図１に示した通話装置Ｍの増設器１２と共通なので、同一の参照符号を付けて、説明を割愛する。
【００５０】
サージ保護部１０、１０は、伝送端子Ｔ２、Ｔ２とグランドとの間に、逆方向のダイオードを介設して構成してもよい。そのような構成とした場合には、伝送線２に発生した、負電位の誘導サージパルスを、ダイオードを通じてグランドに逃がすことができる。このとき、ダイオードとしては、高速かつ高耐圧のものが望ましい。また、伝送端子Ｔ２、Ｔ２と直流電源Ｖ２との間に、逆方向のダイオードを更に介設して、正電位の誘導サージパルスを直流電源Ｖ２に逃がすようにしてもよい。
【００５１】
ここで、サージ保護部１０、１０の接続付加は、伝送線２が増設器１２Ａにおける音声帯域遮断部５ｂ、負荷部６を介して、増設器１２Ａのグランドと直流的に結合されたことにより、増設器１２Ａの伝送端子Ｔ２、Ｔ２と、グランド間の電位差が一定の範囲に規制されることを前提としているので、その電位差の範囲を考慮して、サージ保護部１０、１０の特性を定めることが望ましい。
【実施例２】
【００５２】
図６は、別実施例のインターホン装置Ｍ１を、外観とシステム構成とについて説明する図面である。インターホン装置Ｍ２は、ハンズフリーのインターホン装置として、一般住戸等に設置されるものである。ここで、本発明の親機１１Ｂは、ドアホン子器１４を備えたインターホン親機として構成され、本発明の増設器１２Ｂは、そのインターホン親機と伝送線２で接続される副親機として構成されている。更に、このインターホン装置Ｍ１は、親機から受電して動作する親機駆動増設器１３Ｂを、別の副親機として構成している。
【００５３】
すなわち、インターホン装置Ｍ２は、ドアホン子器１４を２線式伝送線２１で接続した親機１１Ｂと、この親機１１Ｂに２線式伝送線２でそれぞれ接続される増設器１２Ｂと、親機駆動増設器１３Ｂとで構成され、親機１１Ｂ、増設器１２Ｂは、それぞれ商用１００Ｖ電源コンセントに挿入したプラグＴ１から交流電源を受けて動作し、親機駆動増設器１３Ｂ、ドアホン子器１４は、それぞれ２線式伝送線２、２１を通じて、親機１１Ｂから直流電源を受けて動作する。
【００５４】
図に示すように、親機１１Ｂ、増設器１２Ｂ、親機駆動増設器１３Ｂは、それぞれの筐体に、マイクＭＩＣと、スピーカＳＰと、表示操作部を構成する表示灯８や操作釦９とが設けられている。また、ドアホン子器１４の筐体には、マイクＭＣと、操作部を構成する呼出釦９とが設けられている。
【００５５】
次いで、動作について説明すると、親機１１Ｂは、居間などに設置されており、住戸の門扉などに設置されているドアホン子器１４の呼出釦９の押下を検知すれば、スピーカＳＰを鳴動させて、来客を家人に報知する。このような来客の呼出に対して、家人が親機１１Ｂの操作釦９によって応答操作すれば、スピーカＳＰ、マイクＭＩＣを用いて来客と通話を開始させる。
【００５６】
増設器１２Ｂ、親機駆動増設器１３Ｂは、親機１１Ｂとは別の部屋に設置されるが、親機１１Ｂと同等の機能を有しており、親機１１Ｂ、増設器１２Ｂ、親機駆動増設器１３Ｂは、互いに内線通話をすることもできる。
【００５７】
図によれば、親機１１Ｂ、増設器１２Ｂのそれぞれの電源プラグＴ１が挿入されるコンセントからは、逆位相の交流電源が供給されるように配電されているが、インターホン装置Ｍ１には本発明が適用されているので、親機１１Ｂと増設器１２Ｂとの通話では、ハム音などが効果的に抑制され、音質の低下が防止される。
【図面の簡単な説明】
【００５８】
【図１】本発明の実施例である通話装置の構成を説明する概略ブロック図。
【図２】単相３線電力線の時間に対する電位変化を示す波形図。
【図３】平衡型送受信制御部の構成を説明する概略ブロック図。
【図４】平衡型送受信制御部の別構成を説明する概略ブロック図。
【図５】別の実施例である増設器の構成を説明する概略ブロック図。
【図６】更に別の実施例であるインターホン装置の外観とシステムとを説明する図面。
【図７】従来例である通話装置の構成を説明する概略ブロック図。
【図８】別の従来例である通話装置の構成を説明する概略ブロック図。
【符号の説明】
【００５９】
２  伝送線
４  伝送線電源部
５  整流部
６  負荷部
１０  サージ保護部
１１、１１Ｂ  親機
１２、１２Ａ、１２Ｂ  増設器
１１ａ、１２ａ  電源部
１１ｂ、１２ｂ  平衡型送受信制御部
ＩＣ３、ＩＣ４  伝送用平衡型アンプ
Ｔ  伝送用トランス
Ｔ１  電源端子
Ｔ２  伝送端子
【図１】
2006325157.tif 000003
【図２】
2006325157.tif 000004
【図３】
2006325157.tif 000005
【図４】
2006325157.tif 000006
【図５】
2006325157.tif 000007
【図６】
2006325157.tif 000008
【図７】
2006325157.tif 000009
【図８】
2006325157.tif 000010